(57)【要約】【課題】分析対象の動画ファイルを動画読み込み手段により読み込み、この動画ファイルの一枚一枚のフレームから静止画像作成手段により複数枚の静止画像を作成し、この複数枚の静止画像を連続表示手段により表示装置の画面に時系列的に連続表示することができ、一画面上で動作の変化を段階的に視認することができ、時系列的に連続する動作間の分析を容易に行うことができる。【解決手段】動画ファイルを読み込む動画読み込み手段と、該動画ファイルの一枚一枚のフレームから複数枚の静止画像を作成する静止画像作成手段と、該複数枚の静止画像を時系列的に連続表示する連続表示手段を備えてなる。【選択図】        図１
2004229109.tif 000002
【特許請求の範囲】
【請求項１】
動画ファイルを読み込む動画読み込み手段と、該動画ファイルの一枚一枚のフレームから複数枚の静止画像を作成する静止画像作成手段と、該複数枚の静止画像を時系列的に連続表示する連続表示手段を備えてなることを特徴とする動作分析装置。
【請求項２】
動画ファイルを読み込む動画読み込み手段と、該動画ファイルの一枚一枚のフレームから複数枚の静止画像を作成する静止画像作成手段と、分析対象及び対比対象の二種類の複数枚の静止画像を時系列的に連続対比表示する連続表示手段を備えてなることを特徴とする動作分析装置。
【請求項３】
上記動画ファイルの一枚一枚のフレームのうちの指定されたフレームから静止画像を作成する作成範囲指定手段を備えてなることを特徴とする請求項１又は２記載の動作分析装置。
【請求項４】
上記静止画像の少なくとも任意の三つの点を指示することにより該三点を結ぶ二つの直線を表示し、該二つの直線が鉛直線及び水平線に対してなす角度並びに二つの直線がなす角度を表示する角度表示手段を備えてなることを特徴とする請求項１〜３のいずれか１項に記載の動作分析装置。
【請求項５】
上記複数枚の静止画像の任意の点を指示することにより各任意の点の軌跡が表示された該静止画像を時系列的に連続表示する軌跡表示手段を備えてなることを特徴とする動作分析装置。
【請求項６】
動画ファイルを読み込み、該動画ファイルの一枚一枚のフレームから複数枚の静止画像を作成し、該複数枚の静止画像を時系列的に連続表示することを特徴とする動作分析方法。
【請求項７】
動画ファイルを読み込み、該動画ファイルの一枚一枚のフレームから複数枚の静止画像を作成し、分析対象及び対比対象の二種類の複数枚の静止画像を時系列的に連続対比表示することを特徴とする動作分析方法。
【請求項８】
請求項６又は７記載の動作分析方法を実現するためのプログラムを記録したコンピュータ読み取り可能な記録媒体。
【発明の詳細な説明】
【０００１】
【発明の属する技術分野】
本発明は例えばゴルフのスイングや野球のバッテイングフォームを分析する際に用いられる動作分析装置及び方法並びに記録媒体に関するものである。
【０００２】
【従来の技術】
【０００３】
【特許文献】
特開平１０−２６３１２６号公報
【０００４】
従来、この種の動作分析方法として、分析対象をビデオカメラ等で撮像し、この動画ファイルの一枚一枚のフレームから複数枚の静止画像を作成し、この分析対象の一枚の静止画像と、予め用意してある対比対象としての手本となる複数枚の静止画像のうちの分析対象と共通する一枚の静止画像とを左右に一枚ずつ対比表示すると共にこれら左右一枚ずつの対比表示画面を時系列的に切替表示し、分析対象と対比対象のフォームの変化を段階的に切替表示し、この比較分析によりゴルフスイング等の技術の向上を支援するようにしたものが知られている。
【０００５】
【発明が解決しようとする課題】
しかしながら上記従来の分析方法の場合、分析対象の一枚の静止画像と対比対象の一枚の静止画像とを左右に一枚ずつ対比表示すると共にこれら左右一枚ずつの対比表示画面を時系列的に切替表示するようになっており、このため、時系列的に連続するフォーム間の分析が困難となり易いことがあるという不都合を有している。
【０００６】
【課題を解決するための手段】
本発明はこのような不都合を解決することを目的とするもので、本発明のうちで、請求項１記載の装置の発明は、動画ファイルを読み込む動画読み込み手段と、該動画ファイルの一枚一枚のフレームから複数枚の静止画像を作成する静止画像作成手段と、該複数枚の静止画像を時系列的に連続表示する連続表示手段を備えてなることを特徴とする動作分析装置にあり、又、請求項２記載の装置の発明は、動画ファイルを読み込む動画読み込み手段と、該動画ファイルの一枚一枚のフレームから複数枚の静止画像を作成する静止画像作成手段と、分析対象及び対比対象の二種類の複数枚の静止画像を時系列的に連続対比表示する連続表示手段を備えてなることを特徴とする動作分析装置にある。
【０００７】
又、請求項３記載の装置の発明は、上記動画ファイルの一枚一枚のフレームのうちの指定されたフレームから静止画像を作成する作成範囲指定手段を備えてなることを特徴とするものであり、又、請求項４記載の装置の発明は、上記静止画像の少なくとも任意の三つの点を指示することにより該三点を結ぶ二つの直線を表示し、該二つの直線が鉛直線及び水平線に対してなす角度並びに二つの直線がなす角度を表示する角度表示手段を備えてなることを特徴とするものであり、又、請求項５記載の発明は、上記複数枚の静止画像の任意の点を指示することにより各任意の点の軌跡が表示された該静止画像を時系列的に連続表示する軌跡表示手段を備えてなることを特徴とするものである。
【０００８】
又、請求項６記載の方法の発明は、動画ファイルを読み込み、該動画ファイルの一枚一枚のフレームから複数枚の静止画像を作成し、該複数枚の静止画像を時系列的に連続表示することを特徴とする動作分析方法にあり、又、請求項７記載の方法の発明は、動画ファイルを読み込み、該動画ファイルの一枚一枚のフレームから複数枚の静止画像を作成し、分析対象及び対比対象の二種類の複数枚の静止画像を時系列的に連続対比表示することを特徴とする動作分析方法にある。
【０００９】
又、請求項８記載の発明は、請求項６又は７記載の動作分析方法を実現するためのプログラムを記録したコンピュータ読み取り可能な記録媒体にある。
【００１０】
【発明の実施の形態】
図１乃至図１１は本発明の実施の形態例を示し、この場合、大別して、図１の如く、撮像装置Ａ、データー処理装置Ｂ、表示装置Ｃ及び印刷装置Ｄからなり、この撮像装置Ａは、例えばビデオカメラやデジタルカメラからなり、分析対象及び対比対象を撮影して分析対象の動画ファイルＫ及び対比対象の動画ファイルＭを作成保存し、又、データー処理装置Ｂは、例えばパソコンにより構成され、表示装置Ｃはデイスプレー、印刷装置Ｄはプリンターが相当することになる。
【００１１】
この場合、上記データー処理装置Ｂは、図２の如く、撮像部ＡからのＡＶＩファイル、ＭＰＥＧファイル等の動画ファイルＫ・Ｍを読み込む動画読み込み手段Ｅ、この動画ファイルＫ・Ｍの一枚一枚のフレームＫ１・Ｍ１から複数枚の静止画像Ｌ・Ｎを作成する静止画像作成手段Ｆ、静止画像Ｌを編集する静止画像編集手段Ｇ、複数枚の静止画像Ｌ・Ｎを時系列的に連続表示する連続表示手段Ｈ及び画像保存手段Ｉを備えてなり、この静止画像編集手段Ｇに上記動画ファイルＫ・Ｍの一枚一枚のフレームＫ１・Ｍ１のうちの指定されたフレームから静止画像Ｌ・Ｎを作成する作成範囲指定手段Ｇ１が備えられている。
【００１２】
この場合、図３において、動画ファイルＫ・Ｍの読み込みは、動画ファイルＫにあって、読み込みアイコン１をマウスでクリックすると、図４の如く、ファイル選択画面が表示され、任意の動画ファイルＫを選択すると、動画ファイルＫ中の一つのフレームＫ１が左側に表示され、又、動画ファイルＭにあっては、読み込みアイコン２をクリックすると、図４の如く、ファイル選択画面が表示され、任意の動画ファイルＭを選択すると、動画ファイルＭ中の一つのフレームＭ１が右側に表示され、それぞれのフレームＫ１・Ｍ１の表示画面下のスクロールバー３・４により「開始フレーム」及び「最終フレーム」を決定して静止画像Ｌ・Ｎの作成範囲を指定し、この範囲指定により静止画像の「作成予定数」が表示され、このとき、それぞれのフレームの「間隔数」を決定することにより静止画像の数を選択することができ、そして、作成範囲を指定したら静止画像作成アイコン５をクリックすることにより複数枚の静止画像Ｌ・・・Ｎ・・が作成され、「ＮＯ１連続表示」の下の「横表示」ボタンをクリックすることにより、図５の如く静止画像Ｌ・・・が横に並んで連続表示され、「縦表示」選択すれば静止画像Ｌが図６の如く縦に並んで表示され、又、「ＮＯ２連続表示」の下の「横表示」をクリックすることにより、静止画像Ｎ・・・が横に並んで連続表示され、又、「ＮＯ１，ＮＯ２連続表示」の下の「横表示」をクリックすることにより、図７の如く、静止画像Ｌ・・・及び静止画像Ｎ・・・が一対になって横に並んで連続表示されることになり、隣の「縦表示」をクリックすることにより、静止画像Ｌ・・・及び静止画像Ｎ・・・が一対になって縦に連続表示されることになる。
【００１３】
又、この場合、上記静止画像Ｌの少なくとも任意の三つの点Ｐ１・Ｐ２・Ｐ３を指示することにより該三点Ｐ１・Ｐ２・Ｐ３を結ぶ二つの直線Ｓ・Ｔを表示し、この二つの直線Ｓ・Ｔが鉛直線Ｙ及び水平線Ｘに対してなす角度θ１・θ２並びに二つの直線Ｓ・Ｔがなす角度αを表示する角度表示手段Ｇ２が備えられている。
【００１４】
この場合、図７の連続表示画面において、角度計算をしたい静止画像Ｌをマウスでダブルクリックすると、その静止画像が図８の如く拡大表示され、角度計算アイコン６をクリックして角度計算モードに入り、任意の三つの点Ｐ１・Ｐ２・Ｐ３をマウスでクリックして指示すると、図９の如く、三点Ｐ１・Ｐ２・Ｐ３を結ぶ二つの直線Ｓ・Ｔが表示され、この二つの直線Ｓ・Ｔが鉛直線Ｙ及び水平線Ｘに対してなす角度θ１・θ２並びに二つの直線Ｓ・Ｔがなす角度αが表示される。
【００１５】
さらに、この場合、上記複数枚の静止画像Ｌの任意の点Ｑを指示することにより各任意の点Ｑの軌跡Ｒが表示された静止画像Ｌを時系列的に連続表示する軌跡表示手段Ｇ３を備えている。
【００１６】
この場合、図７の連続表示画面において、静止画像Ｌをマウスでダブルクリックして静止画像を図１０の如く拡大表示し、軌跡入力アイコン７をクリックして軌跡入力モードに入り、任意の点Ｑをポイント入力し、このポイント入力を各静止画像Ｌ毎に順次繰り返し、各静止画像Ｌ・・・に点Ｑを入力したら、軌跡モード８にチェックを入れ、「ＮＥＸＴ」又は「ＢＡＣＫ」をクリックすることにより図１１の如く、静止画像Ｌが切り替わると共にその静止画像中に点Ｑの軌跡Ｑ１が表示されることになる。
【００１７】
この実施の形態例は上記構成であるから、例えば、撮像装置Ａにより分析対象の個人プレーヤのゴルフスイングを撮影して動画ファイルＫを作成し、この動画ファイルＫをデーター処理装置Ｂの動画読み込み手段Ｅにより読み込み、この動画ファイルＫの一枚一枚のフレームから静止画像作成手段Ｆにより複数枚の静止画像Ｌを作成し、図５、図６の如く、この複数枚の静止画像Ｌを連続表示手段Ｈにより表示装置Ｃの画面に時系列的に連続表示することになる。
【００１８】
従って、撮像した動画ファイルＫを静止画像Ｌとして時系列的に連続して表示することができ、一画面上でフォームの変化を段階的に視認することができ、時系列的に連続するフォーム間の分析を容易に行うことができ、ゴルフスイング技術の向上を支援することができる。
【００１９】
この場合、撮像装置Ａにより対比対象のプロのプレーヤのゴルフスイングを撮影して動画ファイルＭを作成し、この動画ファイルＭをデーター処理装置Ｂの動画読み込み手段Ｅにより読み込み、この動画ファイルＭの一枚一枚のフレームから静止画像作成手段Ｆにより複数枚の静止画像Ｎを作成し、又は、予め対比対象の動画ファイルをプロのプレーヤの動画ファイルを入手し、この動画ファイルをデーター処理装置Ｂの動画読み込み手段Ｅにより読み込み、この動画ファイルの一枚一枚のフレームから静止画像作成手段Ｆにより複数枚の静止画像を作成し、図７の如く、この分析対象及び対比対象の二種類の複数枚の静止画像Ｌ・Ｎを連続表示手段Ｈにより表示装置Ｃの画面に時系列的に連続対比表示することもでき、一画面上で個人のとプロのフォームの変化を段階的に視認することができ、静止画像Ｌ・Ｎ毎の比較分析及び時系列的に連続する各フォーム間の分析を容易に行うことができ、ゴルフスイング技術の向上を一層支援することができる。
【００２０】
又、この際、上記画像編集手段Ｇに上記動画ファイルの一枚一枚のフレームのうちの指定されたフレームから静止画像Ｌ・Ｎを作成する作成範囲指定手段Ｇ１を備えているから、作成開始及び作成終了を指定することができ、必要なフレームのみの静止画像を作成することができ、動作分析を容易に行うことができ、分析対象及び対比対象の静止画像の対比を明確に表示することができる。
【００２１】
又、この場合、図８、図９の如く、上記静止画像Ｌの少なくとも任意の三つの点Ｐ１・Ｐ２・Ｐ３を指示することにより該三点Ｐ１・Ｐ２・Ｐ３を結ぶ二つの直線Ｓ・Ｔを表示し、この二つの直線Ｓ・Ｔが鉛直線Ｙ及び水平線Ｘに対してなす角度θ１・θ２並びに二つの直線Ｓ・Ｔがなす角度αを表示する角度表示手段Ｇ２を備えているから、フォームの分析を角度数値により認識することができ、動作分析を定量的に行うことができる。
【００２２】
又、この場合、図１０、図１１の如く、上記複数枚の静止画像Ｌの任意の点Ｑを指示することにより各任意の点Ｑの軌跡Ｒが表示された静止画像Ｌを時系列的に連続表示する軌跡表示手段Ｇ３を備えているから、任意の点Ｑの軌跡を認識することができ、動作分析を容易に行うことができる。
【００２３】
これら動作分析方法を実現するためのプログラムはコンピュータ読み取り可能な記録媒体に記録され、データー処理装置Ｂに組み込まれている。
【００２４】
尚、本発明は上記実施の形態例に限られるものではなく、撮像装置Ａ、データー処理装置Ｂ、表示装置Ｃ、印刷装置Ｄの種類や構造、童画読み込み手段Ｅ、静止画像作成手段Ｆ、静止画像編集手段Ｇ、連続表示手段Ｈ、画像保存手段Ｉの構成等は適宜変更して設計される。
【００２５】
【発明の効果】
本発明は上述の如く、請求項１、６又は８記載の発明にあっては、例えば、分析対象の動画ファイルを動画読み込み手段により読み込み、この動画ファイルの一枚一枚のフレームから静止画像作成手段により複数枚の静止画像を作成し、この複数枚の静止画像を連続表示手段により表示装置の画面に時系列的に連続表示することができ、一画面上で動作の変化を段階的に視認することができ、時系列的に連続する動作間の分析を容易に行うことができる。
【００２６】
又、請求項２、７記載の発明にあっては、分析対象及び対比対象の二種類の複数枚の静止画像を連続表示手段により時系列的に連続対比表示することができ、一画面上で両者の動作の変化を段階的に視認することができ、静止画像毎の比較分析及び時系列的に連続する各フォーム間の分析を容易に行うことができる。
【００２７】
又、請求項３記載の発明にあっては、上記画像編集手段に上記動画ファイルの一枚一枚のフレームのうちの指定されたフレームから静止画像を作成する作成範囲指定手段を備えているから、作成開始及び作成終了を指定することができ、必要なフレームのみの静止画像を作成することができ、それだけ、動作分析を容易に行うことができ、分析対象及び対比対象の静止画像の対比を明確に表示することができ、又、請求項４記載の発明にあっては、上記静止画像の少なくとも任意の三つの点を指示することにより三点を結ぶ二つの直線を表示し、この二つの直線が鉛直線及び水平線に対してなす角度並びに二つの直線がなす角度を表示する角度表示手段を備えているから、フォームの分析を角度数値により認識することができ、動作分析を定量的に行うことができ、又、請求項５記載の発明にあっては、上記複数枚の静止画像の任意の点を指示することにより各任意の点の軌跡が表示された静止画像を時系列的に連続表示する軌跡表示手段を備えているから、任意の点の軌跡を認識することができ、動作分析を容易に行うことができる。
【００２８】
以上の如く、所期の目的を充分達成することができる。
【図面の簡単な説明】
【図１】本発明の実施の形態例の構成系統図である。
【図２】本発明の実施の形態例の構成系統図である。
【図３】本発明の実施の形態例の表示画面である。
【図４】本発明の実施の形態例の表示画面である。
【図５】本発明の実施の形態例の表示画面である。
【図６】本発明の実施の形態例の表示画面である。
【図７】本発明の実施の形態例の表示画面である。
【図８】本発明の実施の形態例の表示画面である。
【図９】本発明の実施の形態例の表示画面である。
【図１０】本発明の実施の形態例の表示画面である。
【図１１】本発明の実施の形態例の表示画面である。
【符号の説明】
Ａ  撮像装置
Ｂ  データー処理装置
Ｃ  表示装置
Ｄ  印刷装置
Ｅ  動画読み込み手段
Ｆ  静止画像作成手段
Ｇ  静止画像編集手段
Ｇ１  作成範囲指定手段
Ｇ２  角度表示手段
Ｇ３  軌跡表示手段
Ｈ  連続表示手段
Ｉ  画像保存手段
【図１】
2004229109.tif 000003
【図２】
2004229109.tif 000004
【図３】
2004229109.tif 000005
【図４】
2004229109.tif 000006
【図５】
2004229109.tif 000007
【図６】
2004229109.tif 000008
【図７】
2004229109.tif 000009
【図８】
2004229109.tif 000010
【図９】
2004229109.tif 000011
【図１０】
2004229109.tif 000012
【図１１】
2004229109.tif 000013